(57)【要約】【課題】従来のものはケーブル担持体収納装置は、チルトテーブル側の内筒固定され中途部位が内筒の外側の一部にガイドに保持されて沿接巻回され、他端側が反対方向に曲げられて他端が旋回テーブル側の外筒の内側に固定される案内規制部材を備え,この部材により動力線部材を案内規制しているが、従来のものは、広いスペースを必要とする不具合があり、省スペース化のニーズには適さなかった。【解決手段】本発明は、旋回テーブルと旋回テーブルの一端に固定した蛇腹状のケーブル担持体とこの旋回テーブルに隣接してこの蛇腹状のケーブル担持体を収納する収納袋空間とからなり、旋回テーブルの正逆回転に伴って旋回テーブルと収納袋空間との間をケーブル担持体が直線移動するようにガイド部を設ける構成とした。この構成により旋回転テーブルケーブル担持体収納装置を加工機械の接近性の良い薄型にすることができた。【選択図】図１  
2005103688.tif 000002
【特許請求の範囲】
【請求項１】
蛇腹状のケーブル担持体とこのケーブル担持体のガイド部とを有する旋回テーブル用ケーブル担持体収納装置において
旋回テーブル２に隣接して配置するケーブル担持体を収納する収納袋空間３と、前記ケーブル担持体１の一端を旋回テーブル２の一端に固定し、他端はプレート７に固定し、収納部１４を収納袋空間３に収納するケーブル担持体１と、旋回テーブル２と同心円状の円弧部とこの円弧部の接線方向に前記収納袋空間３入り口まで延びる直線部１１とを有するガイドレール部８とからなり、旋回テーブル２の正逆回転に伴い、収納袋空間３を出入りするケーブル担持体１は、旋回テーブル２と収納袋空間３との間にあるガイドレール部８の直線部１１を介してガイドされることを特徴とする旋回テーブル用ケーブル担持体収納装置。
【請求項２】
旋回テーブル２の周囲をプレート７上のケーブル担持体１を蔽うようにカバー２０を設けていることを特徴とする請求項１の旋回テーブル用ケーブル担持体収納装置
【請求項３】
旋回テーブル駆動用モータをケーブル担持体１の収納袋空間３の下部に配置したことを特徴とする請求項１または２の旋回テーブル用ケーブル担持体収納装置
【発明の詳細な説明】
【技術分野】
【０００１】
本発明は、正逆回転を繰り返す加工機械の旋回テーブル用ケーブル担持体収納装置に関する。
【背景技術】
【０００２】
従来のケーブル担持体収納装置は、特開２００１−１９８７４９号公報に示されるように、チルトテーブル側の内筒固定され中途部位が内筒の外側ノ一部にガイドに保持されて沿接巻回され、他端側が反対方向に曲げられて他端が旋回テーブル側の外筒の内側に固定される案内規制部材を備え,この部材により動力線部材を案内規制し、旋回テーブルの傾斜状態および旋回状態にかかわらず、自重等による案内規制部材のへたりをなくしたものである。
しかしながら、従来のものは、広いスペースを必要とする不具合があり、省スペース化のニーズには適さなかった。
【０００３】
【特許文献１】特開２００１−１９８７４９号公報
【発明の開示】
【発明が解決しようとする課題】
【０００４】
解決しようとする課題は、これら従来の欠点に鑑み、ケーブル担持体収納装置を薄形として加工機械からの旋回テーブル上の加工ワークまでの接近性を改善した旋回テーブル用ケーブル担持体収納装置を提供することにある。
【課題を解決するための手段】
【０００５】
本発明は、蛇腹状のケーブル担持体と旋回テーブルとこの旋回テーブルに隣接して蛇腹状のケーブル担持体を収納する収納袋空間とからなり、蛇腹状のケーブル担持体の一端を旋回テーブルの一端に固定し、その他端を旋回テーブルと収納袋空間との中間に固定し、かつ旋回テーブルの正逆回転に伴って可動するケーブル担持体が直線移動するように案内ガイド部を旋回テーブルと収納袋空間の直線移動個所に設けた構成としている。蛇腹状のケーブル担持体は案内ガイド旋回テーブルと収納袋空間の間に直線移動するように案内されるので、旋回転テーブルを加工機械の接近性の良い薄型にできること。
【発明の効果】
【０００６】
上述したように、本発明によれば、旋回テーブルと収納袋空間の間の2点間を蛇腹状のケーブル担持体が直線移動する案内ガイドを設けているので、装置をほぼ旋回テーブルと収納袋空間の大きさで構成することができ、スペースを省力化でき薄型コンパクトにできる。加工機械ではワークを加工する主軸、操作者への接近性が改善される。
【０００７】
そのため、工具長を短く、安価で剛性の高い工具が採用できる。
【０００８】
カバーは、旋回テーブルと収納袋空間とを蔽うだけでよいので、カバー面積を少なくできる。また収納袋空間の下に駆動用モータを配置できるので同様にカバー面積を少なくできる。
【０００９】
回転テーブルカバーへの切り屑の堆積を少なくでき、切り屑による機械動作の阻害が起こりにくい。
【００１０】
切り屑の掃除が簡単であるという効果がある。
【００１１】
旋回テーブル周りを残してケーブル担持体全体をカバーで蔽っているので、高温の切り屑によるケーブル動力線の焼損を防止できる。
【発明を実施するための最良の形態】
【００１２】
【実施例１】
【００１３】
以下に本発明の一実施例を図を用いて詳細に説明する。
図１は本発明に係る旋回テーブル用のケーブル担持体収納装置の概略上面図で、特徴とするところは、蛇腹状のケーブル担持体１と旋回テーブル２とこの旋回テーブル２に隣接して蛇腹状のケーブル担持体１を収納する収納袋空間３とからなり、蛇腹状のケーブル担持体１の一端を旋回テーブル２の一端に固定し、その他端を旋回テーブル１と収納袋空間３との中間に固定し、かつ旋回テーブル２の正逆回転に伴って可動するケーブル担持体が左右に直線移動するように直線ガイド部を旋回テーブルと収納袋空間のとの間の直線移動個所に設けた構成にある。
【００１４】
詳細に説明すると、旋回テーブル２上に装備された内側ガイド４にブラケット５Ａを介してケーブル担持体１の一端が固定されている。その他端６は旋回テーブル２と隣接する収納袋空間３との中間個所でプレート７にブラケット５Ｂで固定されている。
ケーブル担持体１に内蔵した動力線ケーブルの一端は旋回テーブル１上の動力源に接続され、他端はプレート７の下側の端子箱（図示しない）に接続されている。ケーブル担持体１は周知のごとく蛇腹のように自由自在動く合成樹脂製の枠体の中に動力線ケーブルを這わせる保護構造体である。
【００１５】
旋回テーブル２は正逆回転するが、矢印の方向に左まわりに回転（正転という）すると、ケーブル担持体１の先端は固定ブラケット５に引っ張られてガイドレール部８に沿って遠心状にぐるりと周回する。この実施例では、内側ガイド４がケーブル担持体１の内側面９の補助案内部の役目を担う。
【００１６】
ガイドレール部８は、旋回テーブル１に同心円状の形状で円弧を描いた円弧部１０と旋回テーブル２接線個所と旋回テーブル２の横に隣接する収納袋空間３の入口部との2個所を直線的に結ぶ直線部１１と旋回テーブル１とケーブル担持体４が収納袋空間３収納されるとき円滑に回り込む円弧状の滑送部１２の３要素からなる。１３は、ケーブル担持体１を挟むような形でガイドレール部８に対峙して設けられたプレート状のぶれ止めの補助ガイド部であり、スムーズにケーブル担持体３を左右にガイドしケーブル担持体１の直線移動を補助的にサポートする。図２はガイドレール部８の説明図である。滑走部１７はよりスムーズにケーブル担持体３を収納袋空間３に入り込むように補助するためのもので、必ず必要というものではない。
【００１７】
図１の状態は、旋回テーブル１が正転していない停止状態を示す。ケーブル担持体１の収納側１４は、ヘアピン状に収納袋空間３に収納されている。
【００１８】
図３は旋回テーブルが正転し、ケーブル担持体１の先端がほぼ一周した状態を示す。ケーブル担持体１の先端は、遠心状に周回され旋回テーブル２をほぼ一周する。ケーブル担持体１は遠心状に周回されるとき、ガイドレール部８の直線部１１とが円弧部１０とにガイドされる。ケーブル担持体１はガイドレール部８に沿って旋回テーブル２のまわりに遠心状に伸展し、ガイドレール８の円弧部１０と直線部１１と旋回テーブル２の内側ガイド４の間に位置する。ケーブル担持体１の収納部分１４は収納袋空間３から出る。
【００１９】
つぎに旋回テーブル２が右回りに回転（逆転）してもとの位置に帰るときは、旋回テーブルの一端にある内側ガイド４の固定ブラケット５がケーブル担持体１の先端をガイドレール部８の円弧部１０に沿って振り戻す方向に働く。それによって遠心状に今度は巻き戻されるように、ガイドレール部8の円弧部１０を通過したケーブル担持体１は直線部１１に沿って旋回テーブル２の横に隣接する収納袋空間３に滑走部１２にガイドされて収納部分１４はヘアピン状にもとのように収納される。補助ガイド部１３が直線部１１に対向して配置されておりそのプレート部でぶれ止めガイドする。
【００２０】
図４は、図１の左上に示す矢印Ｂ方向から見た説明用側面図で、旋回テーブル２にある内側ガイド２の一端に固定した固定ブラケット５とケーブル担持体１、ガイドレール８の関係を示している。ケーブル担持体１はガイドレー部８と旋回テーブル２の内側ガイド４の間に位置している。１５は旋回テーブル装置本体である。
この実施例では、旋回テーブル２にある内側ガイド４の一端に固定ブラケット５を固定しているが、必ずしも内側ガイド４がアプリケーションによっては必要ではなく、ケーブル担持体１の揺動角度の選定によって旋回テーブル２の周りをスムーズに摺動させることができる。
【００２１】
図５は、図１の矢印Ｃ−Ｃ方向から見た一部断面を含む、旋回テーブル２がほぼ半周した状態の側面説明図で、旋回テーブル２の内側ガイド４と、さらにケーブル担持体１と固定ブラケット８とガイドレール部８の円弧部１０と直線部１１とぶれ止め用の補助ガイド１３との位置関係を示す。１６は加工用のワーク、１７は加工機械の主軸部で先端に工具18がある。１９は作業者、２０は旋回テーブル２の内側ガイド４を残してケーブル担持体１を含め装置全体をカバーするカバー部である。カバー部２０は、ほぼ旋回テーブル２と収納袋空間３のみ蔽う構造となるのでコンパクトにできる。またカバー部２０は加工個所の旋回テーブル２の周りを蔽うので切り屑から防止でき、またケーブル担持体１の上を被うため、高温の切り屑で焼損することはない。
図示のごとく、作業者１９と加工機械１７からワークへの距離は旋回テーブル２と装置本体１５のみの大きさを考慮すれば良いので、接近性が非常に改善できる。
【００２２】
図６は、図１の矢印Ａ−Ａの鎖線に沿った説明用概略断面を示し、上記のように２は旋回テーブル、１５が旋回テーブル装置本体、２１は、断面図で図示していないが駆動用モータで図１でわかるようにケーブル担持体１の収納袋空間３の下に収納されている。それゆえモータ部分の配置スペースが省略でき、よりコンパクト化が図れる。
２２は端子箱で図１に示すプレート７の孔２３を介してケーブル担持体１に内蔵されている動力ケーブルが接続される。２０は前記した旋回テーブル２の内側ガイド４の周囲を残してケーブル担持体１を含め装置全体をカバーしたカバー部である。
【実施例２】
【００２３】
図7,図８は、ケーブル担持体１のガイドレール部８の他の実施例を示すもので、実施例１では、ケーブル担持体の移動をガイドするガイドレール部８の円弧部１０、直線部１１、滑走部１２をプレート７に固定する例を説明したが、図示するようにプレート７自体にガイドレール部８の役目を果たすガイド溝部２４を形成するようにプレス加工、樹脂成型加工してもよいし、また別部材のガイド溝部材２４を固着しても良い。ガイドを確実にするために、上方のカバー部２０をプレス加工などの成型加工してガイド溝部２４を構成してもよいし、別部材のガイド溝部材２４を固着してもよい。
図７と図８の違いは、プレートとカバー部、ケーブル担持体の係合の関係が凹凸が逆の関係にある。
【図面の簡単な説明】
【００２４】
【図１】本発明に係る旋回テーブル用ケーブル担持体収納装置の一実施例の概略上面図
【図２】同ガイドレール部の説明図
【図３】同旋回テーブルが正転した状態の概略上面図
【図４】同ケーブル担持体を旋回テーブルの一端ブラケットで固定する説明図
【図５】同側面説明図
【図６】同正面説明図
【図７】同ガイドレール部の他の実施例の説明図。
【図８】同ガイドレール部の他の実施例の説明図。
【符号の説明】
【００２５】
１・・・ケーブル担持体
２・・・旋回テーブル
３・・・収納袋空間
４・・・内側ガイド
７・・・プレート
８・・・ガイドレール部
１０・・ガイドレール部の円弧部
１１・・ガイドレール部の直線部
１２・・ガイドレール部の滑走部
１３・・ガイドレール部の補助ガイド
１４・・ケーブル担持体の収納部分
１５・・旋回テーブル装置本体
２０・・カバー部
２１・・駆動用モータ
２４・・ガイド溝部材
【図１】
2005103688.tif 000003
【図２】
2005103688.tif 000004
【図３】
2005103688.tif 000005
【図４】
2005103688.tif 000006
【図５】
2005103688.tif 000007
【図６】
2005103688.tif 000008
【図７】
2005103688.tif 000009
【図８】
2005103688.tif 000010